(57)【要約】【課題】携帯型外部メモリをメモリ接続端子に接続したままで通常使用されることをなくし、電力量計本体や携帯型外部メモリの故障を防止でき、また、データ保存終了メッセージを見落とすことがなくなり、携帯型外部メモリへのデータ保存が正常に終了したかどうか確実に確認できる電子式電力量計を提供する。【解決手段】電気設備の使用電力を計測してデータを記憶手段に記憶し、計測データを液晶表示部２に表示するとともに、携帯型外部メモリ４をメモリ接続端子５に接続して計測データを携帯型外部メモリ４に保存可能にした電子式電力量計１において、携帯型外部メモリ４がメモリ接続端子５に接続している間は液晶表示部２に計測データを表示しないようにし、また、携帯型外部メモリ４へのデータ保存が終了してから携帯型外部メモリ４がメモリ接続端子５から取り外されるまで液晶表示部２に終了メッセージ９，１０を表示するようにした。【選択図】図２
2006322907.tif 000002
【特許請求の範囲】
【請求項１】
電気設備の使用電力を計測してデータを記憶手段に記憶し、前記計測データを液晶表示部に表示するとともに、携帯型外部メモリをメモリ接続端子に接続して前記計測データを前記携帯型外部メモリに保存可能にした電子式電力量計において、前記携帯型外部メモリが前記メモリ接続端子に接続している間は前記液晶表示部に前記計測データを表示しないことを特徴とする電子式電力量計。
【請求項２】
前記携帯型外部メモリへのデータ保存が終了してから前記携帯型外部メモリが前記メモリ接続端子から取り外されるまで前記液晶表示部に終了メッセージを表示することを特徴とする請求項１に記載の電子式電力量計。
【発明の詳細な説明】
【技術分野】
【０００１】
本発明は、電力使用量を計測して記憶・表示を行い、計測データを携帯型外部メモリに保存可能な電子式電力量計に関する。
【背景技術】
【０００２】
電子式電力量計は電気設備の使用電力を計測手段により計測し、この計測データは記憶手段に記憶され、操作ボタン等の操作手段を操作して表示項目を選択し、液晶表示部により表示できるようになっている（例えば、特許文献１参照。）。このような電子式電力量計において計測データを取り出してパソコン等で管理できるようにメモリ接続端子を備え、携帯型外部メモリを接続して計測データを携帯型外部メモリに保存できるものがある。この電子式電力量計は携帯型外部メモリへのデータ保存は操作ボタンを操作して開始し、データ保存が終了すると一定時間だけ保存終了メッセージを表示し、その後、通常の計測データを表示をするようになっていた。
【０００３】
【特許文献１】特開２００３−１５６５１９号公報
【発明の開示】
【発明が解決しようとする課題】
【０００４】
このため、従来の電子式電力量計は保存終了メッセージを見逃した場合、正常に保存できたかどうかわからず、保存したデータをパソコンで確認するか、もう一度データを保存しなければならなかった。また、保存終了メッセージ表示後は携帯型外部メモリをメモリ接続端子に接続したままでも通常通りに使用できるのでそのまま携帯型外部メモリをメモリ接続端子から取り外さずに使用されることもあり、高温となる場所や粉塵が多い場所のように劣悪な環境で使用される状況では電力量計本体や携帯型外部メモリが故障する虞があった。
【課題を解決するための手段】
【０００５】
本発明は、請求項１に記載の発明によれば、電気設備の使用電力を計測してデータを記憶手段に記憶し、計測データを液晶表示部に表示するとともに、携帯型外部メモリをメモリ接続端子に接続して計測データを携帯型外部メモリに保存可能にした電子式電力量計において、携帯型外部メモリがメモリ接続端子に接続している間は液晶表示部に計測データを表示しないことを特徴とする。
【０００６】
請求項２に記載の発明によれば、請求項１に記載の電子式電力量計において、携帯型外部メモリへのデータ保存が終了してから携帯型外部メモリがメモリ接続端子から取り外されるまで液晶表示部に終了メッセージを表示することを特徴とする。
【発明の効果】
【０００７】
請求項１に記載の発明によれば、携帯型外部メモリをメモリ接続端子に接続したままで通常使用されることをなくし、電力量計本体や携帯型外部メモリの故障を防止できるという効果がある。
【０００８】
請求項２に記載の発明によれば、請求項１に記載の発明の効果に加えて、データ保存終了メッセージを見落とすことがなくなり、携帯型外部メモリへのデータ保存が正常に終了したかどうか確実に確認できるという効果がある。
【発明を実施するための最良の形態】
【０００９】
電気設備の使用電力を計測してデータを記憶手段に記憶し、計測データを液晶表示部に表示するとともに、携帯型外部メモリをメモリ接続端子に接続して計測データを携帯型外部メモリに保存可能にした電子式電力量計において、携帯型外部メモリがメモリ接続端子に接続している間は液晶表示部に計測データを表示しないようにし、また、携帯型外部メモリへのデータ保存が終了してから携帯型外部メモリがメモリ接続端子から取り外されるまで液晶表示部に終了メッセージを表示する。
【実施例１】
【００１０】
本発明に係る電子式電力量計の実施例１を図１〜図６の添付図面に基づいて説明する。
【００１１】
図１は電子式電力量計の斜視図を示している。電子式電力量計１は電気設備の使用電力を計測する計測手段（図示せず）と、時刻及び日時を計時する計時手段（図示せず）と、計測データを記憶する記憶手段（図示せず）と、計測データの表示を行う液晶表示部２と、液晶表示部２の表示の切り替えや設定等をするための操作ボタン３と、例えばＵＳＢメモリなどの携帯型外部メモリ４を接続するためのメモリ接続端子５とを備えている。
【００１２】
メモリ接続端子５は、電力量計本体６の前面下部カバー６ａで閉塞されるように設けられている。携帯型外部メモリ４に計測データを保存する場合は前面下部カバー６ａを外し、携帯型外部メモリ４をメモリ接続端子５に差し込んで接続する。
【００１３】
次に電子式電力量計の動作の流れを図２（ａ）のフローチャートを基に説明する。電子式電力量計は、Ｓ１（ステップ１）で時計・カレンダー処理を行ってから計測手段による電力計測処理をし（Ｓ２）、その後に記憶手段へのデータ記憶処理を行っている（Ｓ３）。また、操作ボタンの操作により（Ｓ４）、計測データの表示や携帯型外部メモリ４へのデータ保存を選ぶことができ、このとき、書き込み処理の状態が判断される（Ｓ５）、ここで携帯型外部メモリ４への書き込み処理をしない状態をＮｏ．０とし、書き込み中の状態をＮｏ．１とし、書き込み終了の状態をＮｏ．２とすると、操作ボタンの操作により計測データの表示を選択すると、Ｓ５ではＮｏ．０であるので図３の液晶表示部に示すように計測データの表示を行うようになっている（Ｓ６）。また、操作ボタンの操作（Ｓ４）により書き込み処理を選択して書き込みを開始すると、処理状態がＮｏ．１であるのでＳ５ではＮｏ．０より大きいと判断されて次の書き込み処理状態の判断（Ｓ７）に進み、Ｓ７でＮｏ．１であるので図４の液晶表示部に示すように書き込み経過に対応するインジケータ７と保存中のメッセージ８を表示するようになっている（Ｓ８）。そして、書き込み処理が終了すると、Ｓ７から書き込みが正常に終了したかどうかの判断（Ｓ９）に移り、書き込みが正常に終了した場合は図５の液晶表示部に示すようにに正常終了メッセージ９を表示し（Ｓ１０）、書き込みが正常に終了しなかった場合は、図６の液晶表示部に示すように異常終了メッセージ１０を表示するようになっている（Ｓ１１）。
【００１４】
また、図２（ｂ）のフローチャートに示すように例えば０．２５秒毎の一定間隔で書き込み処理が終了したかどうか監視され（Ｓ１２）、書き込み処理が終了した場合は携帯型外部メモリ４の接続状態を監視するようになっている（Ｓ１３）。接続状態が継続している間は書き込み処理の状態はＮｏ．２のままなので終了メッセージ９，１０を表示し続け、携帯型外部メモリ４がメモリ接続端子５から取り外されると書き込み処理の状態がＮｏ．０になり（Ｓ１４）、操作ボタンの操作により（Ｓ４）計測データの表示を行えるようになっている（Ｓ６）。
【００１５】
このため、使用者はメモリ接続端子５から携帯型外部メモリ４を外さない限り計測データが見られないので、携帯型外部メモリ４を接続したまま使用されることがなくなり、従って電力量計本体６や携帯型外部メモリ４の故障を防止することができる。
【００１６】
また、メモリ接続端子５から携帯型外部メモリ４が取り外されるまでは液晶表示部２に終了メッセージ９，１０が表示するのでデータ保存が正常に終了したかどうか確実に確認することができる。
【図面の簡単な説明】
【００１７】
【図１】本発明に係る電子式電力量計の斜視図である。
【図２】電子式電力量計の動作の流れを示すフローチャートであり、（ａ）は全体の流れを示し、（ｂ）はメモリ接続状態の監視の流れを示す。
【図３】電力量を表示した状態の液晶表示部を示す図である。
【図４】データ保存中の液晶表示部を示す図である。
【図５】正常終了メッセージを表示した状態の液晶表示部を示す図である。
【図６】異常終了メッセージを表示した状態の液晶表示部を示す図である。
【符号の説明】
【００１８】
１    電子式電力量計
２    液晶表示部
３    操作ボタン
４    携帯型外部メモリ
５    メモリ接続端子
６    電力量計本体
【図１】
2006322907.tif 000003
【図２】
2006322907.tif 000004
【図３】
2006322907.tif 000005
【図４】
2006322907.tif 000006
【図５】
2006322907.tif 000007
【図６】
2006322907.tif 000008